(57)【要約】【課題】機器特性を考慮した機器レイアウトを短時間、かつ簡易的に案内できる。【解決手段】画面上の空間レイアウト内に配置する機器の位置情報を管理する位置情報管理部７と、機器の機器特性を管理する機器特性管理部８と、空間レイアウトに配置した機器の位置情報及び機器特性を位置情報管理部７及び機器特性管理部８から読み出し、これら読み出した機器の位置情報及び機器特性に基づき、機器の機器特性を考慮した機器レイアウト案内情報を生成する案内情報生成部９と、案内情報生成部９にて生成した機器レイアウト案内情報を案内表示するモニタ部４とを有している。【選択図】図１
2010286984.tif 000002
【特許請求の範囲】
【請求項１】
画面上の所定空間内に配置する機器の位置情報を管理する位置情報管理部と、
前記機器の機器特性を管理する機器特性管理部と、
前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成部と、
前記案内情報生成部にて生成した前記機器レイアウト案内情報を案内出力する案内部と
を有することを特徴とする機器配置案内装置。
【請求項２】
前記機器は、
少なくとも、電子機器及び空調機器を有し、
前記案内情報生成部は、
前記所定空間内に配置した全空調機器の冷却量に関わる機器特性及び、前記所定空間内に配置した全空調機器及び全電子機器の発熱量に関わる機器特性を前記機器特性管理部から読み出し、これら読み出した機器特性に基づき、前記所定空間内に配置した全空調機器の冷却量及び、前記全空調機器及び前記全電子機器の発熱量を対比し、その対比結果を含む前記機器レイアウト案内情報を生成することを特徴とする請求項１記載の機器配置案内装置。
【請求項３】
前記機器は、
少なくとも、電子機器、空調機器及び機器筐体を有し、
前記案内情報生成部は、
前記所定空間内に配置した前記機器筐体の位置情報を前記位置情報管理部から読み出すと共に、前記機器筐体毎に搭載した各電子機器の発熱量に関わる機器特性を前記機器特性管理部から読み出し、前記機器筐体の位置情報及び、前記機器筐体毎に搭載する各電子機器の発熱量に基づき、前記機器筐体毎に搭載する全電子機器の発熱量を算出し、その算出結果を含む前記機器レイアウト案内情報を生成することを特徴とする請求項１記載の機器配置案内装置。
【請求項４】
前記機器は、
少なくとも、電子機器、空調機器及び機器筐体を有し、
前記案内情報生成部は、
前記所定空間内に配置した前記機器筐体及び機器筐体に搭載する各電子機器の位置情報を前記位置情報管理部から読み出すと共に、前記機器筐体毎に搭載した各電子機器の発熱量に関わる機器特性を前記機器特性管理部から読み出し、前記機器筐体毎に搭載する各電子機器の位置情報及び発熱量に基づき、前記機器筐体毎に搭載する各電子機器の発熱量を含む前記機器レイアウト案内情報を生成することを特徴とする請求項１記載の機器配置案内装置。
【請求項５】
前記機器は、
少なくとも、電子機器、空調機器及び機器筐体を有し、
前記案内情報生成部は、
前記所定空間内に配置した前記空調機器及び前記機器筐体の位置情報を前記位置情報管理部から読み出すと共に、前記機器筐体毎に搭載した各電子機器の発熱量に関わる機器特性及び、前記空調機器の冷却量及び送風方向に関わる機器特性を前記機器特性管理部から読み出し、前記空調機器及び前記機器筐体の位置情報、前記機器筐体毎に搭載した各電子機器の発熱量及び、前記空調機器の冷却量及び送風方向に基づき、前記空調機器毎に、冷却対象の機器筐体に搭載した各電子機器の発熱量が適正条件に冷却できる冷却性能範囲を推定し、この推定した空調機器の冷却性能範囲を含む前記機器レイアウト案内情報を生成することを特徴とする請求項１記載の機器配置案内装置。
【請求項６】
前記機器は、
前記空調機器からの冷却風を流通するグリルを有し、
前記案内情報生成部は、
前記空調機器の前記冷却性能範囲内の前記機器筐体の位置情報を前記位置情報管理部から読み出すと共に、前記機器筐体毎に搭載する各電子機器の発熱量に関わる機器特性を前記機器特性管理部から読み出し、前記機器筐体毎に搭載した各電子機器の発熱量に基づき、前記機器筐体に搭載した全電子機器の発熱量が適正条件となるように前記空調機器からの冷却風を流通するグリルの設置要否を含む前記機器レイアウト情報を生成することを特徴とする請求項５記載の機器配置案内装置。
【請求項７】
画面上の所定空間内に配置する機器の位置情報を位置情報管理部に管理する位置情報管理ステップと、
前記機器の機器特性を機器特性管理部に管理する機器特性管理ステップと、
前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成ステップと、
前記案内情報生成ステップで生成した前記機器レイアウト案内情報を案内出力する案内出力ステップと
を含むことを特徴とする機器配置案内方法。
【請求項８】
画面上の所定空間内に配置する機器の位置情報を位置情報管理部に管理する位置情報管理手順と、
前記機器の機器特性を機器特性管理部に管理する機器特性管理手順と、
前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成手順と、
前記案内情報生成手順で生成した前記機器レイアウト案内情報を案内出力する案内出力手順と
を含むコンピュータプログラムをコンピュータ装置に実行させることを特徴とする機器配置案内プログラム。
【発明の詳細な説明】
【技術分野】
【０００１】
本発明は、例えば、モニタ画面上の室内を模した所定空間内に電子機器等の機器を仮想的に配置した機器レイアウトを案内する機器配置案内装置、機器配置案内方法及び機器配置案内プログラムに関する。
【背景技術】
【０００２】
従来、モニタ画面上の室内を模した所定空間内に電子機器等の機器を仮想的に配置した機器レイアウトを案内する機器配置案内装置としては、モニタ画面上の所定空間内に電子機器や空調機器等の機器を仮想的に配置する機器レイアウトを案内するものである。
【０００３】
また、上記従来の機器配置案内装置では、電子機器や空調機器等の機器を所定空間内に配置する位置情報や、電子機器の発熱量や空調機器の冷却量等の機器特性を個別管理しているため、これら位置情報及び機器特性を使用して、電子機器の熱分布を考慮した機器レイアウトを案内する際、例えば、熱流体解析を使用することが一般的である。
【先行技術文献】
【特許文献】
【０００４】
【特許文献１】特公平８−１２６７４号公報
【特許文献２】特開２００４−１８５１７７号公報
【発明の概要】
【発明が解決しようとする課題】
【０００５】
しかしながら、上記従来の機器配置案内装置では、熱流体解析を使用して機器レイアウトを案内する場合、解析規模が大規模となるため多大な時間を要し、ユーザ側で最終的に熱流体解析で機器レイアウトを案内するにしても、熱流体解析実行前に簡易的に機器レイアウトの案内を受けたいという要望が多々ある。
【０００６】
開示の技術は、上記点に鑑みてなされたものであり、その目的とするところは、機器特性を考慮した機器レイアウトを短時間、かつ簡易的に案内できる機器配置案内装置、機器配置案内方法及び機器配置案内プログラムを提供することにある。
【課題を解決するための手段】
【０００７】
本願の開示する機器配置案内装置は、一つの態様において、画面上の所定空間内に配置する機器の位置情報を管理する位置情報管理部と、前記機器の機器特性を管理する機器特性管理部と、前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成部と、前記案内情報生成部にて生成した前記機器レイアウト案内情報を案内出力する案内部とを有している。
【０００８】
本願の開示する機器配置案内方法は、一つの態様において、画面上の所定空間内に配置する機器の位置情報を位置情報管理部に管理する位置情報管理ステップと、前記機器の機器特性を機器特性管理部に管理する機器特性管理ステップと、前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成ステップと、前記案内情報生成ステップで生成した前記機器レイアウト案内情報を案内出力する案内出力ステップとを含む。
【０００９】
本願の開示する機器配置案内プログラムは、一つの態様において、画面上の所定空間内に配置する機器の位置情報を位置情報管理部に管理する位置情報管理手順と、前記機器の機器特性を機器特性管理部に管理する機器特性管理手順と、前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成手順と、前記案内情報生成手順で生成した前記機器レイアウト案内情報を案内出力する案内出力手順とを含むコンピュータプログラムをコンピュータ装置に実行させる。
【発明の効果】
【００１０】
本願の開示する機器配置案内装置、機器配置案内方法及び機器配置案内プログラムの一つの態様によれば、画面上の所定空間内に配置した機器の位置情報及び機器特性に基づき、機器の機器特性を考慮した機器レイアウト案内情報を生成することで、機器特性を考慮した機器レイアウトを短時間、かつ簡易的に案内できるという効果を奏する。
【図面の簡単な説明】
【００１１】
【図１】図１は、実施例１の機器配置案内装置内部の概略構成を示すブロック図である。
【図２】図２は、実施例２の機器配置案内装置内部の概略構成を示すブロック図である。
【図３】図３は、モニタ部に画面表示中の空間レイアウト画面を端的に示す説明図である。
【図４】図４は、位置情報管理部内のレイアウト管理テーブルのテーブル内容を端的に示す説明図である。
【図５】図５は、位置情報管理部内の柱位置テーブルのテーブル内容を端的に示す説明図である。
【図６】図６は、位置情報管理部内の空調位置テーブルのテーブル内容を端的に示す説明図である。
【図７】図７は、位置情報管理部内のラック位置テーブルのテーブル内容を端的に示す説明図である。
【図８】図８は、位置情報管理部内のラック単位テーブルのテーブル内容を端的に示す説明図である。
【図９】図９は、位置情報管理部内の分電盤位置テーブルのテーブル内容を端的に示す説明図である。
【図１０】図１０は、位置情報管理部内の分電盤単位テーブルのテーブル内容を端的に示す説明図である。
【図１１】図１１は、位置情報管理部内のグリル位置テーブルのテーブル内容を端的に示す説明図である。
【図１２】図１２は、グリルのタイプ種別を端的に示す説明図である。
【図１３】図１３は、機器特性管理部内の空調特性テーブルのテーブル内容を端的に示す説明図である。
【図１４】図１４は、機器特性管理部内のラック特性テーブルのテーブル内容を端的に示す説明図である。
【図１５】図１５は、機器特性管理部内のＩＴ機器特性テーブルのテーブル内容を端的に示す説明図である。
【図１６】図１６は、機器特性管理部内の分電盤特性テーブルのテーブル内容を端的に示す説明図である。
【図１７】図１７は、機器特性管理部内のグリル特性テーブルのテーブル内容を端的に示す説明図である。
【図１８】図１８は、モニタ部の画面内容を端的に示す説明図である。
【図１９】図１９は、機器配置処理に関わる制御部内部の処理動作を示すフローチャートである。
【図２０】図２０は、分電盤レイアウト案内の案内内容を端的に示す説明図である。
【図２１】図２１は、分電盤電力バランス案内の案内内容を端的に示す説明図である。
【図２２】図２２は、機器レイアウト分析処理に関わる案内情報生成部内部の処理動作の一部を端的に示すフローチャートである。
【図２３】図２３は、冷却バランス案内処理に関わる案内情報生成部内部の処理動作を示すフローチャートである。
【図２４】図２４は、冷却バランス案内処理の案内内容を端的に示す説明図である。
【図２５】図２５は、発熱量案内処理に関わる案内情報生成部内部の処理動作を示すフローチャートである。
【図２６】図２６は、発熱量案内処理に関わる３Ｄ画面上の案内内容を端的に示す説明図である。
【図２７】図２７は、発熱量案内処理に関わる空間レイアウト画面上の案内内容を端的に示す説明図である。
【図２８】図２８は、冷却性能案内処理に関わる案内情報生成部内部の処理動作を示すフローチャートである。
【図２９】図２９は、冷却性能案内処理に関わる案内内容を端的に示す説明図である。
【図３０】図３０は、設置グリル案内処理に関わる案内情報生成部内部の処理動作を示すフローチャートである。
【図３１】図３１は、設置グリル案内処理に関わる案内内容を端的に示す説明図である。
【図３２】図３２は、ラック単位風量充足度合案内処理に関わる案内情報生成部内部の処理動作を示すフローチャートである。
【図３３】図３３は、ラック単位風量充足度合案内処理に関わる案内内容を端的に示す説明図である。
【図３４】図３４は、モニタ画面上の案内内容を端的に示す説明図である。
【発明を実施するための形態】
【００１２】
以下に、本願の開示する機器配置案内装置、機器配置案内方法及び機器配置案内プログラムの実施例を図面に基づいて詳細に説明する。尚、本実施例によりこの発明が限定されるものではない。
【実施例１】
【００１３】
図１は、実施例１の機器配置案内装置内部の概略構成を示すブロック図である。
【００１４】
図１に示す機器配置案内装置１は、モニタ画面上にフロア等を模した空間レイアウトを画面表示し、この画面表示上の空間レイアウト内に、データ入力部を通じて機器を２次元又は３次元的に仮想配置することで機器レイアウトを簡易的に表現できる、例えば、コンピュータ装置に相当するものである。
【００１５】
機器配置案内装置１は、各種データを登録管理するデータベース２と、各種データを入力するデータ入力部３と、各種データを画面表示するモニタ部４と、機器配置案内装置１全体を制御する制御部５とを有している。
【００１６】
データベース２は、フロア等を模した空間レイアウト内に配置する機器ツールを管理する機器管理部６と、空間レイアウト内に配置する機器の位置情報を管理する位置情報管理部７と、機器の機器特性を管理する機器特性管理部８とを有している。
【００１７】
機器とは、例えば、ＩＴ機器等の電子機器や、電子機器の発熱を冷却する空調機器等に相当するものである。更に、機器管理部６で管理する機器ツールとは、画面表示中の空間レイアウト上に配置する機器等の機器識別表示データに相当するものである。
【００１８】
また、機器特性とは、例えば、電子機器の場合は発熱量、空調機器の場合は冷却能力である冷却量に相当するものである。尚、電子機器の発熱量と空調機器の冷却量との関係は、同一換算値のため、例えば、電子機器の発熱量を「１００」、空調機器の冷却量を「１００」とした場合、１００−１００＝０となるため、空調機器の冷却量で電子機器の発熱量を適正温度に冷却できると推定するものである。
【００１９】
更に、制御部５は、空間レイアウトに配置した機器の位置情報及び機器特性を位置情報管理部７及び機器特性管理部８から読み出し、これら読み出した機器の位置情報及び機器特性に基づき、機器の機器特性を考慮した機器レイアウト案内情報を生成する案内情報生成部９を有している。
【００２０】
機器レイアウト案内情報とは、機器の機器特性を考慮、例えば、電子機器の発熱量及び空調機器の冷却量を考慮した場合、空調機器の冷却量が電子機器の発熱量を適正温度に冷却できるか否かを推定する推定結果を含む機器レイアウトの案内情報に相当するものである。
【００２１】
更に、機器配置案内装置１は、案内情報生成部９にて生成した機器レイアウトの案内情報を案内表示するモニタ部４を有している。
【００２２】
次に、実施例１の機器配置案内装置１の動作について説明する。
【００２３】
機器配置案内装置１は、データ入力部３を通じてモニタ部４上の空間レイアウトを画面表示し、この画面表示中の空間レイアウト内に電子機器や空調機器等の機器を配置する。
【００２４】
更に、機器配置案内装置１内の制御部５は、データ入力部３を通じて空間レイアウト内に電子機器及び空調機器等の機器を配置すると、これら電子機器及び空調機器の位置情報を位置情報管理部７に登録管理する。
【００２５】
また、制御部５内の案内情報生成部９は、データ入力部３の所定操作に応じて、電子機器及び空調機器等の機器に関わる位置情報を位置情報管理部７から読み出す。
【００２６】
更に、案内情報生成部９は、電子機器の発熱量及び空調機器の冷却量を機器特性管理部８から読み出し、これら電子機器及び空調機器の位置情報と、電子機器の発熱量及び空調機器の冷却量とに基づき、空調機器の冷却量で電子機器の発熱量を適正温度に冷却できるか否かを推定し、その推定結果を含む機器レイアウト案内情報をモニタ部４に画面表示する。
【００２７】
その結果、機器配置案内装置１のユーザは、モニタ部４に画面表示中の推定結果を含む機器レイアウト案内情報を見て、空間レイアウト内に配置した空調機器の冷却量が電子機器の発熱量を適正温度に冷却できるものと、熱流体解析を実行しなくても、事前に認識できる。
【００２８】
実施例１では、空間レイアウト内に配置した機器の位置情報及び、これら機器の機器特性を位置情報管理部７及び機器特性管理部８から読み出し、これら読み出した機器の位置情報及び機器特性に基づき、機器の機器特性を考慮した機器レイアウト案内情報を生成し、この生成した機器レイアウト案内情報をモニタ部４に案内表示する。その結果、実施例１では、機器の位置情報及び機器特性に基づき、機器の機器特性を考慮した機器レイアウト案内情報を生成することで、機器特性を考慮した機器レイアウトを短時間、かつ簡易的に案内できる。
【００２９】
更に、実施例１では、空間レイアウト内に配置した電子機器及び空調機器の位置情報及び、これら空調機器の冷却量及び電子機器の発熱量を位置情報管理部７及び機器特性管理部８から読み出し、これら読み出した電子機器及び空調機器の位置情報及び、電子機器の発熱量、空調機器の冷却量に基づき、電子機器の発熱量及び空調機器の冷却量を適正温度に冷却できるか否かを推定し、その推定結果を含む機器レイアウト案内情報としてモニタ部４に案内表示する。その結果、実施例１では、電子機器の発熱量及び空調機器の冷却量を考慮した機器レイアウトを短時間、かつ簡易的にモニタ部４上で案内できる。
【００３０】
尚、上記実施例１では、機器として電子機器や空調機器を例に挙げて説明したが、これら電子機器や空調機器の他に、電子機器を搭載するラック機器や、空調機器からの冷却風を通過するグリルや、電子機器に電力を供給する分電盤等を加えた実施例につき、実施例２として説明する。
【実施例２】
【００３１】
図２は、実施例２の機器配置案内装置内部の概略構成を示すブロック図、図３は、モニタ部４に画面表示中の空間レイアウト画面を端的に示す説明図である。尚、図１に示す機器配置案内装置１と同一の構成については同一符号を付すことで、その重複する構成及び動作の説明については省略する。
【００３２】
図２に示す機器配置案内装置１Ａは、データベース２、データ入力部３、モニタ部４、及び制御部５の他に、熱流体解析処理を実行する熱流体解析処理部１０を有している。
【００３３】
データベース２は、機器管理部６、位置情報管理部７Ａ及び機器特性管理部８Ａを有している。更に、制御部５は、案内情報生成部９Ａを有している。
【００３４】
機器管理部６では、図３に示すモニタ部４に表示中の空間レイアウト画面１００上に、複数タイプ種別のＩＴ機器１０１、これらＩＴ機器１０１を搭載可能にする複数タイプ種別のラック機器１０２、複数タイプ種別の空調機器１０３、複数タイプ種別のグリル１０４、複数タイプ種別の分電盤１０５等の機器を識別表示する機器表示データを管理している。
【００３５】
位置情報管理部７Ａは、モニタ部４に画面表示中のＸＹＺ座標のタイル形式の空間レイアウト１００上に機器をドラッグアンドドロップで配置した場合、機器の位置情報を座標で管理するものである。尚、機器の位置情報は、ＸＹＺ座標で管理し、例えば、ラック機器１０２に複数のＩＴ機器１０１を搭載した場合、搭載中の複数のＩＴ機器１０１が同一のＸＹ座標軸上となるため、Ｚ座標でラック機器１０２内のＩＴ機器１０１の搭載位置を識別することになる。
【００３６】
また、位置情報管理部７Ａは、空間レイアウトの全体座標を管理するレイアウト管理テーブル２１と、空間レイアウト上の機器配置不可エリアである柱の位置を管理する柱位置テーブル２２と、空間レイアウト上に配置した空調機器１０３の座標を管理する空調位置テーブル２３とを有している。
【００３７】
更に、位置情報管理部７Ａは、空間レイアウト上に配置したラック機器１０２の座標を管理するラック位置テーブル２４と、空間レイアウト上に配置したラック機器１０２の搭載内容を管理するラック単位テーブル２５とを有している。
【００３８】
更に、位置情報管理部７Ａは、空間レイアウト上に配置した分電盤１０５の座標を管理する分電盤位置テーブル２６と、空間レイアウト上に配置した分電盤１０５の搭載内容を管理する分電盤単位テーブル２７と、空間レイアウト上に配置したグリル１０４の座標を管理するグリル位置テーブル２８とを有している。
【００３９】
図４は、位置情報管理部７Ａ内のレイアウト管理テーブル２１のテーブル内容を端的に示す説明図である。
【００４０】
図４に示すレイアウト管理テーブル２１は、フロアを識別するフロア番号２１Ａ毎に、フロアを模した空間レイアウト１００全体のＸＹＺ座標寸法２１Ｂ及び、フロアの床単位２１Ｃを管理している。
【００４１】
図５は、位置情報管理部７Ａ内の柱位置テーブル２２のテーブル内容を端的に示す説明図である。
【００４２】
図５に示す柱位置テーブル２２は、空間レイアウト１００上に配置した柱１０７を識別する柱番号２２Ａ毎に、空間レイアウト１００上に配置した柱１０７の座標位置を示すＸＹ座標２２Ｂ及び、この柱１０７の寸法２２Ｃを管理している。尚、空間レイアウト１００上に配置した柱１０７は、フロアの建築データから取得し、ＩＴ機器１０１、ラック機器１０２、空調機器１０３、グリル１０４や分電盤号１０５等の機器の配置不可のエリアとなる。
【００４３】
図６は、位置情報管理部７Ａ内の空調位置テーブル２３のテーブル内容を端的に示す説明図である。
【００４４】
図６に示す空調位置テーブル２３は、空間レイアウト１００上に配置した空調機器１０３を識別する空調番号２３Ａ毎に、空間レイアウト１００上に配置した空調機器１０３の座標位置を示すＸＹ座標２３Ｂ及び、空調機器１０３のタイプ種別を示すタイプ２３Ｃを管理している。
【００４５】
図７は、位置情報管理部７Ａ内のラック位置テーブル２４のテーブル内容を端的に示す説明図である。
【００４６】
図７に示すラック位置テーブル２４は、空間レイアウト１００上に配置したラック機器１０２を識別するラック番号２４Ａ毎に、空間レイアウト１００上に配置したラック機器１０２の座標位置を示すＸＹ座標２４Ｂ及び、ラック機器１０２のタイプ種別を示すタイプ２４Ｃを管理している。
【００４７】
図８は、位置情報管理部７Ａ内のラック単位テーブル２５のテーブル内容を端的に示す説明図である。
【００４８】
図８に示すラック単位テーブル２５は、ラック機器１０２を識別するラック番号２５Ａ毎に、このラック機器１０２に搭載中のＩＴ機器１０１を識別するＩＴ番号２５Ｂを管理している。
【００４９】
更に、ラック単位テーブル２５は、ＩＴ番号２５Ｂ毎にラック機器１０２内の搭載位置であるＺ座標２５Ｃを管理している。
【００５０】
図９は、位置情報管理部７Ａ内の分電盤位置テーブル２６のテーブル内容を端的に示す説明図である。
【００５１】
図９に示す分電盤位置テーブル２６は、空間レイアウト１００上に配置した分電盤１０５を識別する分電盤番号２６Ａ毎に、空間レイアウト１００上に配置した分電盤１０５の座標位置を示すＸＹ座標２６Ｂを管理している。
【００５２】
図１０は、位置情報管理部７Ａ内の分電盤単位テーブル２７のテーブル内容を端的に示す説明図である。  
【００５３】
図１０に示す分電盤単位テーブル２７は、分電盤１０５を識別する分電盤番号２７Ａ毎に、分電盤１０５の各ブレーカを識別するブレーカ番号２７Ｂを管理している。
【００５４】
更に、分電盤単位テーブル２７は、ブレーカ番号２７Ｂ毎に、同ブレーカの電力容量２７Ｃと、同ブレーカの電力供給先のＩＴ機器１０１を搭載中のラック機器１０２を識別するラック番号２７Ｄ及び、その搭載位置を示すＺ座標２７Ｅを管理している。
【００５５】
図１１は、位置情報管理部７Ａ内のグリル位置テーブル２８のテーブル内容を端的に示す説明図、図１２は、グリル１０４のタイプ種別を端的に示す説明図である。  
【００５６】
図１１に示すグリル位置テーブル２８は、空間レイアウト１００上に配置したグリル１０４を識別するグリル番号２８Ａ毎に、空間レイアウト１００上に配置したグリル１０４の座標位置を示すＸＹ座標２８Ｂ及び、グリル１０４のタイプ種別を示すタイプ２８Ｃを管理している。尚、グリル１０４のタイプ種別としては、図１２に示すように、給気面１０４Ａに対して丸孔タイプの開口部１０４Ｂや角孔タイプの開口部１０４Ｃを有するタイプがある。また、図示せぬが、例えば、同一の丸孔タイプであっても、開口部１０４Ｂの口径を各種設定し、複数種類のタイプがあるものとする。
【００５７】
また、図２に示す機器特性管理部８Ａは、空調機器１０３のタイプ種別毎に機器特性を管理する空調特性テーブル３１と、ラック機器１０２のタイプ種別毎に機器特性を管理するラック特性テーブル３２と、ＩＴ機器１０１を識別するＩＴ番号毎に機器特性を管理するＩＴ機器特性テーブル３３とを有している。
【００５８】
更に、機器特性管理部８Ａは、分電盤１０５を識別する分電盤番号毎に機器特性を管理する分電盤特性テーブル３４と、グリル１０４のタイプ種別毎に機器特性を管理するグリル特性テーブル３５とを有している。
【００５９】
図１３は、機器特性管理部８Ａ内の空調特性テーブル３１のテーブル内容を端的に示す説明図である。
【００６０】
図１３に示す空調特性テーブル３１は、空調機器１０３のタイプ種別を示すタイプ３１Ａ毎に、その空調機器１０３の冷却能力を示す冷却量３１Ｂ及び送風量３１Ｃと、同空調機器１０３の送風方向を示す送風方向３１Ｄと、同空調機器１０３の全体寸法を示す寸法３１Ｅと、空調機器１０３の発熱量３１Ｆとを管理している。
【００６１】
図１４は、機器特性管理部８Ａ内のラック特性テーブル３２のテーブル内容を端的に示す説明図である。
【００６２】
図１４に示すラック特性テーブル３２は、ラック機器１０２のタイプ種別を示すタイプ３２Ａ毎に、同ラック機器１０２の全体寸法を示す寸法３２Ｂを管理している。
【００６３】
図１５は、機器特性管理部８Ａ内のＩＴ機器特性テーブル３３のテーブル内容を端的に示す説明図である。
【００６４】
図１５に示すＩＴ機器特性テーブル３３は、ＩＴ機器１０１を識別するＩＴ番号３３Ａ毎に、そのＩＴ機器１０１の発熱量３３Ｂ、必要風量３３Ｃ、占有３３Ｄ及び電力使用量３３Ｅを管理している。尚、発熱量３３Ｂ、必要風量３３Ｃ及び電力使用量３３Ｅ等は、ＩＴ機器１０１のカタログ値を入力して登録管理するが、その実測値を反映して登録管理するようにしても良い。
【００６５】
図１６は、機器特性管理部８Ａ内の分電盤特性テーブル３４のテーブル内容を端的に示す説明図である。
【００６６】
図１６に示す分電盤特性テーブル３４は、分電盤１０５を識別する分電盤番号３４Ａ毎に、その分電盤１０５の電力容量３４Ｂを管理している。
【００６７】
図１７は、機器特性管理部８Ａ内のグリル特性テーブル３５のテーブル内容を端的に示す説明図である。
【００６８】
図１７に示すグリル特性テーブル３５は、グリル１０４のタイプ種別を示すタイプ３５Ａ毎に、そのグリル１０４の開口部の開口率３５Ｂと、分配率３５Ｃとを管理している。
【００６９】
図１８は、モニタ部４の画面内容を端的に示す説明図である。
【００７０】
図１８に示すモニタ部４には、空間レイアウト１００を表示する空間レイアウト画面４Ａと、空間レイアウト１００上に配置した機器を３次元的に表示する３Ｄ画面４Ｂと、機器管理部６に管理中の機器等を管理するツールボックス画面４Ｃとを画面表示している。
【００７１】
３Ｄ画面４Ｂでは、例えば、ラック機器１０２に搭載中のＺ座標上のＩＴ機器１０１を画面表示する際に使用する画面である。
【００７２】
制御部５は、データ入力部３を通じて、モニタ部４に画面表示中の空間レイアウト１００のＸＹＺ座標上に、ＩＴ機器１０１、ラック機器１０２、空調機器１０３、グリル１０４、分電盤１０５等の機器や柱１０７をツールボックス画面４Ｃからドラッグアンドドロップで配置し、これらＩＴ機器１０１、ラック機器１０２、空調機器１０３、グリル１０４、分電盤１０５や柱１０７の位置情報をＸＹＺ座標で位置情報管理部７Ａに登録管理するものである。
【００７３】
案内情報生成部９Ａは、データ入力部３を通じて各種の機器レイアウト案内指示を検出すると、位置情報管理部７Ａ及び機器特性管理部８Ａに管理中の機器の位置情報及び機器特性に基づき、機器の位置情報及び機器特性を考慮した機器の機器レイアウト案内をモニタ部４上に画面表示するものである。
【００７４】
尚、機器レイアウト案内としては、例えば、空間レイアウト１００内の分電盤１０５の電力供給先レイアウトを案内する分電盤レイアウト案内と、空間レイアウト１００内の分電盤１０５及び電力供給先間の電力量バランスを案内する分電盤電力バランス案内と、空間レイアウト１００内の冷却バランスを案内する冷却バランス案内とを有している。
【００７５】
更に、機器レイアウト案内は、空間レイアウト１００内に配置するＩＴ機器１０１単位の発熱量やラック機器１０２単位の発熱量を案内する発熱量案内と、空間レイアウト１００内に配置する空調機器１０３の冷却性能範囲を案内する冷却性能案内とを有している。
【００７６】
更に、機器レイアウト案内は、冷却性能範囲内のラック機器１０２毎のグリル１０４の設置要否を案内するグリル設置案内と、冷却性能範囲内のグリル１０４毎の送風量の充足度合を案内するグリル送風量充足度合案内等とを有している。
【００７７】
次に、実施例２の機器配置案内装置１Ａの動作について説明する。図１９は、機器配置処理に関わる制御部５内部の処理動作を示す説明図である。
【００７８】
図１９において機器配置案内装置１Ａ内の制御部５は、データ入力部３を通じて、位置情報管理部７Ａのレイアウト管理テーブル２１から所望フロアのフロア番号の空間レイアウト１００をモニタ部４の画面上に展開する（ステップＳ１１）。
【００７９】
制御部５は、データ入力部３を通じて、モニタ部４に画面表示中の空間レイアウト１００上に配置禁止エリア（柱１０７）をドラッグアンドドロップで配置する（ステップＳ１２）。尚、制御部５は、空間レイアウト１００上に柱１０７を配置すると、図５に示す柱位置テーブル２２内に柱１０７の柱番号２２Ａ、ＸＹ座標２２Ｂ及び寸法２２Ｃを登録管理するものである。
【００８０】
更に、制御部５は、データ入力部３を通じて、空間レイアウト１００上に分電盤１０５をドラッグアンドドロップで配置する（ステップＳ１３）。尚、制御部５は、空間レイアウト１００上に分電盤１０５を配置すると、図９に示す分電盤位置テーブル２６内に分電盤１０５の分電盤番号２６Ａ及びＸＹ座標２６Ｂを登録管理するものである。
【００８１】
更に、制御部５は、データ入力部３を通じて、空間レイアウト１００上に空調機器１０３をドラッグアンドドロップで配置する（ステップＳ１４）。尚、制御部５は、空間レイアウト１００上に空調機器１０３を配置すると、図６に示す空調位置テーブル２３内に空調機器１０３の空調番号２３Ａ、ＸＹ座標２３Ｂ及びタイプ２３Ｃを登録管理するものである。
【００８２】
更に、制御部５は、データ入力部３を通じて、空間レイアウト１００上にラック機器１０２をドラッグアンドドロップで配置する（ステップＳ１５）。尚、制御部５は、空間レイアウト１００上にラック機器１０２を配置すると、図７に示すラック位置テーブル２４内にラック機器１０２のラック番号２４Ａ、ＸＹ座標２４Ｂ及びタイプ２４Ｃを登録管理するものである。
【００８３】
更に、制御部５は、データ入力部３を通じて、空間レイアウト１００上のラック機器１０２内にＩＴ機器１０１をドラッグアンドドロップで搭載配置する（ステップＳ１６）。尚、制御部５は、空間レイアウト１００上のラック機器１０２内にＩＴ機器１０１を搭載配置すると、図８に示すラック単位テーブル２５内にラック機器１０２のラック番号２５Ａ、ＩＴ番号２５Ｂ及び搭載位置のＺ座標２５Ｃを登録管理するものである。
【００８４】
更に、制御部５は、データ入力部３を通じて、空間レイアウト１００上のグリル１０４をドラッグアンドドロップで配置する（ステップＳ１７）。尚、制御部５は、空間レイアウト１００上にグリル１０４を配置すると、図１１に示すグリル位置テーブル２８内にグリル番号２８Ａ、ＸＹ座標２８Ｂ及びタイプ２８Ｃを登録管理するものである。
【００８５】
更に、制御部５は、データ入力部３を通じて、空間レイアウト１００上の分電盤１０５のブレーカの電力供給先として、ラック機器１０２に搭載中のＩＴ機器１０１を指定する。尚、制御部５は、ブレーカの電力供給先のＩＴ機器１０１を指定すると、図１０に示すように分電盤単位テーブル２７に分電盤１０５の分電盤番号２７Ａ、ブレーカのブレーカ番号２７Ｂ、電力容量２７Ｃ、電力供給先のＩＴ機器１０１を搭載中のラック機器１０２のラック番号２７Ｄ及び搭載位置のＺ座標２７Ｅを登録管理するものである。
【００８６】
制御部５は、ステップＳ１１乃至１７の処理を経て空間レイアウト１００上の所望位置に機器を配置することで、これら機器の位置情報を位置情報管理部７Ａに登録管理することになる。
【００８７】
制御部５は、位置情報管理部７Ａに登録管理中の機器の位置情報に基づき、モニタ部４上で画面表示中の空間レイアウト１００上に各種機器を配置表示すると共に、機器特性管理部８Ａに登録管理中の機器の機器特性に基づき、機器の機器特性を考慮した機器の機器レイアウト案内をモニタ部４上に案内表示する。
【００８８】
次に、機器配置案内装置１Ａの機器レイアウト案内に関わる動作について説明する。図２０は、分電盤レイアウト案内の案内内容を端的に示す説明図である。
【００８９】
図２０に示す分電盤レイアウト案内とは、空間レイアウト１００内の分電盤１０５の電力供給先レイアウトをブレーカ単位で案内するものである。
【００９０】
制御部５内の案内情報生成部９Ａは、データ入力部３を通じて、空間レイアウト１００上で案内対象である分電盤１０５及び分電盤１０５のブレーカ番号の指定操作を検出すると、この分電盤１０５のＸＹ座標２６Ｂを認識し、このＸＹ座標２６Ｂに対応した分電盤１０５の分電盤番号２６Ａを図９の分電盤位置テーブル２６から読み出す。
【００９１】
更に、案内情報生成部９Ａは、この読み出した分電盤１０５の分電盤番号２６Ａ（２７Ａ）及び指定のブレーカ番号２７Ｂに対応する電力容量２７Ｃ、ラック番号２７Ｄ及び搭載位置（Ｚ座標）２７Ｅを図１０の分電盤単位テーブル２７から読み出す。
【００９２】
そして、案内情報生成部９Ａは、指定した分電盤１０５のブレーカ番号を指定すると、この分電盤１０５のブレーカ番号２７Ｂに対応した電力容量２７Ｃ、ラック番号２７Ｄ及び搭載位置（Ｚ座標）２７Ｅに基づき分電盤レイアウト案内を生成し、この生成した分電盤レイアウト案内を図２０に示すようにモニタ部４上に案内表示する。
【００９３】
その結果、機器配置案内装置１Ａ側のユーザは、図２０に示すように、分電盤レイアウト案内に基づき、分電盤１０５のブレーカ毎の電力供給量は勿論のこと、電力供給先のラック機器１０２及びラック機器１０２に搭載するＩＴ機器１０１の搭載位置をも認識できる。
【００９４】
図２１は、分電盤電力バランス案内の案内内容を端的に示す説明図である。
【００９５】
図２１に示す分電盤電力バランス案内とは、空間レイアウト１００内の分電盤１０５及び電力供給先であるＩＴ機器１０１間の電力量バランスをブレーカ単位で案内するものである。
【００９６】
案内情報生成部９Ａは、データ入力部３を通じて、空間レイアウト１００上の案内対象の分電盤１０５の指定操作を検出すると、この分電盤１０５のＸＹ座標２６Ｂを認識し、このＸＹ座標２６Ｂに対応した分電盤１０５の分電盤番号２６Ａを図９の分電盤位置テーブル２６から読み出す。
【００９７】
更に、案内情報生成部９Ａは、この読み出した分電盤１０５の分電盤番号２６Ａ（２７Ａ）に対応したブレーカ番号２７Ｂ毎に、対応する電力容量２７Ｃ、ラック番号２７Ｄ及び搭載位置（Ｚ座標）２７Ｅを図１０の分電盤単位テーブル２７から読み出す。
【００９８】
更に、案内情報生成部９Ａは、ブレーカ番号２７Ｂ毎に、ラック番号２７Ｄ及び搭載位置（Ｚ座標）２７Ｅに対応したＩＴ機器１０１のＩＴ番号２５Ｂを図８のラック単位テーブル２５から読み出す。つまり、案内対象の分電盤１０５のブレーカ毎の電力供給先のＩＴ機器１０１を認識するものである。
【００９９】
更に、案内情報生成部９Ａは、電力供給先のＩＴ機器１０１のＩＴ番号２５Ｂ（３３Ａ）に対応した電力使用量３３Ｅを図１５のＩＴ機器特性テーブル３３から読み出す。
【０１００】
更に、案内情報生成部９Ａは、ブレーカ毎の電力供給先のＩＴ機器１０１の電力使用量３３Ｅを読み出し、これら電力供給先のＩＴ機器１０１の電力使用量３３Ｅの総和を算出する。尚、ブレーカ電力供給先のＩＴ機器１０１が複数ある場合、電力供給先のＩＴ機器１０１の電力使用量３３Ｅの総和をＩＴ電力容量とする。
【０１０１】
そして、案内情報生成部９Ａは、案内対象の分電盤１０５のブレーカ毎の電力容量２７Ｃ及び電力供給先のＩＴ機器１０１のＩＴ電力容量の総和に基づき、図２１に示すように、ブレーカ単位で、電力容量２７Ｃの棒グラフ２０１Ａと電力供給先のＩＴ電力容量総和の棒グラフ２０１Ｂとを対比し、その対比結果を含む分電盤電力バランス案内をモニタ部４上に案内表示する。
【０１０２】
その結果、機器配置案内装置１Ａ側のユーザは、図２１に示すように、分電盤電力バランス案内に基づき、案内対象の分電盤１０５のブレーカの電力容量及び電力供給先間の電力バランスを認識できる。
【０１０３】
次に、機器配置案内装置１Ａの機器レイアウト分析処理について説明する。図２２は、機器レイアウト分析処理に関わる案内情報生成部９Ａ内部の処理動作の一部を端的に示すフローチャートである。
【０１０４】
図２２に示す機器レイアウト分析処理とは、冷却バランス案内、発熱量案内及び冷却性能案内等を実行するために、空間レイアウト１００上に配置した空調機器１０３及びＩＴ機器１０１の機器特性を分析する処理である。
【０１０５】
案内情報生成部９Ａは、機器レイアウト分析処理を起動すると、空間レイアウト１００上に配置した全ラック機器１０２及び全ＩＴ機器１０１の分析処理を実行する（ステップＳ２１）。
【０１０６】
尚、全ラック機器１０２及び全ＩＴ機器１０１の分析処理は、空間レイアウト１００上の各ラック機器１０２のＸＹ座標２４Ｂを認識すると、各ラック機器１０２のＸＹ座標２４Ｂに対応したラック番号２４Ａを図７のラック位置テーブル２４から読み出す。更に、案内情報生成部９Ａは、各ラック機器１０２のラック番号２４Ａを検出すると、ラック番号２４Ａ（２５Ａ）に対応したＩＴ番号２５Ｂを図８のラック単位テーブル２５から読み出す。その結果、案内情報生成部９Ａでは、ラック機器１０２毎に搭載中のＩＴ機器１０１のＩＴ番号２５Ｂを認識する。
【０１０７】
案内情報生成部９Ａは、各ラック機器１０２に搭載中の各ＩＴ機器１０１のＩＴ番号２５Ｂを認識すると、ＩＴ番号２５Ｂ（３３Ａ）に対応したＩＴ機器１０１の発熱量３３Ｂを図１５のＩＴ機器特性テーブル３３から読み出す（ステップＳ２２）。その結果、案内情報生成部９Ａは、空間レイアウト１００上の全ラック機器１０２に搭載中の全ＩＴ機器１０１の発熱量を認識できる。
【０１０８】
更に、案内情報生成部９Ａは、機器レイアウト分析処理を起動すると、ステップＳ２１及びステップＳ２２の処理を並行して、空間レイアウト１００上の全空調機器１０３の分析処理を実行する（ステップＳ２３）。
【０１０９】
尚、全空調機器１０３の分析処理は、空間レイアウト１００上の各空調機器１０３のＸＹ座標２３Ｂを認識すると、各空調機器１０３のＸＹ座標２３Ｂに対応した空調番号２３Ａ及びタイプ２３Ｃを図６の空調位置テーブル２３から読み出す。更に、案内情報生成部９Ａは、各空調機器１０３のタイプ２３Ｃ（３１Ａ）に対応する冷却量３１Ｂ、送風方向３１Ｄ及び発熱量３１Ｆを図１３の空調特性テーブル３１から読み出す（ステップＳ２４）。
【０１１０】
案内情報生成部９Ａは、ステップＳ２２及びステップＳ２４で取得した全ＩＴ機器１０１の発熱量及び全空調機器１０３の発熱量と、ステップＳ２４で取得した全空調機器１０３の冷却量とに基づき、後述する冷却バランス案内処理（図２３参照）を実行する（ステップＳ２５）。
【０１１１】
更に、案内情報生成部９Ａは、ステップＳ２２で取得した各ラック機器１０２に搭載中のＩＴ機器１０１の発熱量に基づき、後述する発熱量案内処理（図２５参照）を実行する（ステップＳ２６）。
【０１１２】
更に、案内情報生成部９Ａは、ステップＳ２３で取得した各空調機器１０３のＸＹ座標２３Ｂ及びステップＳ２４で取得した各空調機器１０３の冷却量３１Ｂ及び送風方向３１
Ｄに基づき、各空調機器１０３の冷却対象範囲を空間レイアウト１００上に画面表示する（ステップＳ２７）。
【０１１３】
更に、案内情報生成部９Ａは、ステップＳ２７の各空調機器１０３の冷却対象範囲及び、ステップＳ２６で取得したラック機器１０２単位の全ＩＴ機器１０１の発熱量に基づき、冷却性能案内処理（図２８参照）を実行する（ステップＳ２８）。
【０１１４】
では、図２２のステップＳ２５の冷却バランス案内処理について説明する。図２３は、冷却バランス案内処理に関わる案内情報生成部９Ａ内部の処理動作を示すフローチャート、図２４は、冷却バランス案内処理の案内内容を端的に示す説明図である。
【０１１５】
図２３に示す冷却バランス案内処理は、空間レイアウト１００内に配置した全ＩＴ機器１０１及び全空調機器１０３の発熱量に対する空間レイアウト１００内に配置した全空調機器１０３の冷却量のバランス、すなわち冷却バランスをモニタ部４に案内表示する処理である。
【０１１６】
図２３において案内情報生成部９Ａは、冷却バランス案内処理を開始すると、空間レイアウト１００内の全空調機器１０３の冷却量の総和ＤＣＷを算出する（ステップＳ３１）。尚、全空調機器１０３の冷却量は、図２２のステップＳ２４で取得する。
【０１１７】
更に、案内情報生成部９Ａは、空間レイアウト１００内の全ＩＴ機器１０１の発熱量及び全空調機器１０３の発熱量の総和ＩＴＷを算出する（ステップＳ３２）。尚、全ＩＴ機器１０１及び全空調機器１０３の発熱量は、図２２のステップＳ２２及びステップＳ２４で取得する。
【０１１８】
案内情報生成部９Ａは、ステップＳ３１の全空調機器１０３の全冷却量の総和ＤＣＷと、ステップＳ３２の全ＩＴ機器１０１及び全空調機器１０３の全発熱量の総和ＩＴＷとを対比し、その対比結果を冷却バランスとしてモニタ部４に案内表示する（ステップＳ３３）。尚、冷却バランスは、図２４に示すように、全冷却量の総和ＤＣＷを実線２０２Ａ、全発熱量の総和ＩＴＷを点線２０２Ｂで示すものである。
【０１１９】
その結果、機器配置案内装置１Ａ側のユーザは、モニタ部４に画面表示中の冷却バランスに基づき、空間レイアウト１００内の全冷却量及び全発熱量間の冷却バランスを認識できる。
【０１２０】
更に、案内情報生成部９Ａは、ステップＳ３１の全空調機器１０３の全冷却量の総和ＤＣＷがステップＳ３２の全ＩＴ機器１０１及び全空調機器１０３の発熱量の総和ＩＴＷよりも大であるか否かを判定する（ステップＳ３４）。
【０１２１】
案内情報生成部９Ａは、全冷却量の総和ＤＣＷが全発熱量の総和ＩＴＷよりも大の場合（ステップＳ３４肯定）、図２３に示す処理動作を終了する。
【０１２２】
また、案内情報生成部９Ａは、全冷却量の総和ＤＣＷが全発熱量の総和ＩＴＷよりも大でない場合（ステップＳ３４否定）、空間レイアウト１００内に配置した空調機器１０３では不足しているものと判断し、空調機器１０３の追加を要求する追加空調機器要表示をモニタ部４上に画面表示し（ステップＳ３５）、図２３に示す処理動作を終了する。
【０１２３】
その結果、機器配置案内装置１Ａ側のユーザは、モニタ部４の追加空調機器要表示に基づき、空間レイアウト１００に対する空調機器１０３追加の必要性を認識できる。
【０１２４】
次に、図２２のステップＳ２６の発熱量案内処理について説明する。図２５は、発熱量案内処理に関わる案内情報生成部９Ａ内部の処理動作を示すフローチャート、図２６は、発熱量案内処理に関わる３Ｄ画面４Ｂ上の案内内容を端的に示す説明図、図２７は、発熱量案内処理に関わる空間レイアウト画面４Ａ上の案内内容を端的に示す説明図である。
【０１２５】
図２５に示す発熱量案内処理とは、空間レイアウト１００内に配置するＩＴ機器１０１単位の発熱量やラック機器１０２単位の発熱量をモニタ部４上に案内表示する処理である。
【０１２６】
図２５において案内情報生成部９Ａは、空間レイアウト１００内のラック機器１０２単位で搭載中の各ＩＴ機器１０１の発熱量を取得する（ステップＳ４１）。尚、ラック機器１０２単位で搭載中の各ＩＴ機器１０１の発熱量は、図２２のステップＳ２２で取得する。
【０１２７】
案内情報生成部９Ａは、ラック機器１０２毎に搭載中のＩＴ機器１０１単位で発熱量を棒グラフで案内表示する（ステップＳ４２）。尚、案内情報生成部９Ａは、図２６に示すように、モニタ部４の３Ｄ画面４Ｂ上にラック機器１０２を画面表示し、そのラック機器１０２内に搭載中のＩＴ機器１０１毎に当該ＩＴ機器１０１の発熱量を棒グラフ２０３Ａで案内表示する。
【０１２８】
その結果、機器配置案内装置１Ａ側のユーザは、３Ｄ画面４Ｂに画面表示中の棒グラフ２０３Ａでラック機器１０２に搭載中のＩＴ機器１０１単位の発熱量を認識できる。
【０１２９】
更に、案内情報生成部９Ａは、ラック機器１０２単位で搭載中の全ＩＴ機器１０１の発熱量の総和を棒グラフで案内表示し（ステップＳ４３）、図２５に示す処理動作を終了する。尚、案内情報生成部９Ａは、図２６に示すように、３Ｄ画面４Ｂ上に画面表示中のラック機器１０２内に搭載中の全ＩＴ機器１０１の発熱量の総和を棒グラフ２０３Ｂで案内表示する。
【０１３０】
その結果、機器配置案内装置１Ａ側のユーザは、３Ｄ画面４Ｂに画面表示中の棒グラフ２０３Ｂでラック機器１０２単位の発熱量を認識できる。
【０１３１】
尚、案内情報生成部９Ａは、ラック機器１０２単位の発熱量を３Ｄ画面４Ｂで画面表示した場合、ラック機器１０２単位の発熱量を棒グラフ２０３Ｂで画面表示するようにしたが、２次元の空間レイアウト画面４Ａで画面表示する場合、図２７に示すように、ラック機器１０２単位の発熱量を丸表示２０４で表現し、その丸表示２０４の直径を変えることで発熱量の大小を表現するものとする。その結果、機器配置案内装置１Ａ側のユーザは、空間レイアウト画面４Ａに画面表示中のラック機器１０２Ａ内の丸表示２０４の大きさでラック機器１０２単位の発熱量を認識できる。
【０１３２】
次に、図２２のステップＳ２８の冷却性能案内処理について説明する。図２８は、冷却性能案内処理に関わる案内情報生成部９Ａ内部の処理動作を示すフローチャート、図２９は、冷却性能案内処理に関わる案内内容を端的に示す説明図である。
【０１３３】
図２８に示す冷却性能案内処理とは、空間レイアウト１００内に配置する空調機器１０３の冷却性能範囲を空間レイアウト画面４Ａ上に案内表示する処理である。
【０１３４】
案内情報生成部９Ａは、空間レイアウト１００内に配置した空調機器１０３のタイプを識別する（ステップＳ５１）。尚、案内情報生成部９Ａは、空調機器１０３のタイプを識別すると、空調機器１０３のタイプ３１Ａに対応した冷却量３１Ｂ、送風量３１Ｃ及び送風方向３１Ｄを図１３の空調管理テーブル３１から取得するものである。
【０１３５】
案内情報生成部９Ａは、この空調機器１０３の送風方向が直進であるか否かを判定する（ステップＳ５２）。案内情報生成部９Ａは、空調機器１０３の送風方向が直進の場合（ステップＳ５２肯定）、この空調機器１０３の直進前方方向にある冷却対象のラック機器１０２を選択する（ステップＳ５３）。尚、案内情報生成部９Ａは、空調機器１０３のＸＹ座標に基づき、この空調機器１０３の直進前方方向にある冷却対象のラック機器１０２を選択するものである。
【０１３６】
案内情報生成部９Ａは、冷却対象のラック機器１０２を選択すると、このラック機器１０２に搭載中の各ＩＴ機器１０１の発熱量を算出し（ステップＳ５４）、選択済みの全ラック機器１０２の発熱量の総和を算出する（ステップＳ５５）。
【０１３７】
案内情報生成部９Ａは、空調機器１０３の冷却量が選択済みのラック機器１０２の発熱量の総和よりも大であるか否かを判定する（ステップＳ５６）。
【０１３８】
案内情報生成部９Ａは、この空調機器１０３の冷却量が選択済みのラック機器１０２の発熱量の総和よりも大の場合（ステップＳ５６肯定）、冷却対象のラック機器１０２の内、更なるラック機器１０２を選択すべく、ステップＳ５３に移行する。
【０１３９】
また、案内情報生成部９Ａは、空調機器１０３の冷却量が選択済みのラック機器１０２の発熱量の総和よりも大でない場合（ステップＳ５６否定）、空調機器１０３の冷却性能オーバと判断し、直近に選択したラック機器１０２を除く、選択済みのラック機器１０２を空調機器１０３の冷却対象とする（ステップＳ５７）。
【０１４０】
更に、案内情報生成部９Ａは、これら選択済みのラック機器１０２を空調機器１０３の冷却対象とすると、これら冷却対象のラック機器１０２を、図２９に示すように空調機器１０３の冷却性能範囲２０５として囲んでモニタ部４の画面上に案内表示し（ステップＳ５８）、図２８に示す処理動作を終了する。その結果、機器配置案内装置１Ａ側のユーザは、画面表示中の冷却性能範囲２０５で空調機器１０３の冷却性能範囲を認識できる。
【０１４１】
また、案内情報生成部９Ａは、空調機器１０３の送風方向が直進でない場合（ステップＳ５２否定）、送風方向が円中心方向と判断し、この空調機器１０３の円中心方向にある冷却対象のラック機器１０２を選択する（ステップＳ５９）。尚、案内情報生成部９Ａは、空調機器１０３のＸＹ座標に基づき、同空調機器１０３の円中心方向の前方方向にある冷却対象のラック機器１０２を選択するものである。
【０１４２】
案内情報生成部９Ａは、冷却対象のラック機器１０２を選択すると、このラック機器１０２に搭載中の各ＩＴ機器１０１の発熱量を算出し（ステップＳ６０）、選択済みの全ラック機器１０２の発熱量の総和を算出する（ステップＳ６１）。
【０１４３】
案内情報生成部９Ａは、この空調機器１０３の冷却量が選択済みのラック機器１０２の発熱量の総和よりも大であるか否かを判定する（ステップＳ６２）。
【０１４４】
案内情報生成部９Ａは、この空調機器１０３の冷却量が選択済みのラック機器１０２の発熱量の総和よりも大の場合（ステップＳ６２肯定）、冷却対象のラック機器１０２の内、更なるラック機器１０２を選択すべく、ステップＳ５９に移行する。
【０１４５】
また、案内情報生成部９Ａは、空調機器１０３の冷却量が選択済みのラック機器１０２の発熱量の総和よりも大でない場合（ステップＳ６２否定）、空調機器１０３の冷却性能がオーバと判断し、直近に選択したラック機器１０２を除く、選択済みのラック機器１０２で空調機器１０３の冷却対象とすべく、ステップＳ５７に移行する。
【０１４６】
次に、設置グリル案内処理について説明する。図３０は、設置グリル案内処理に関わる案内情報生成部９Ａ内部の処理動作を示すフローチャート、図３１は、設置グリル案内処理に関わる案内内容を端的に示す説明図である。
【０１４７】
図３０に示す設置グリル案内処理とは、空間レイアウト１００上の冷却性能範囲２０５でラック機器１０２毎のグリル設置要否を案内表示する処理である。
【０１４８】
案内情報生成部９Ａは、空間レイアウト１００上で案内対象の空調機器１０３の冷却性能範囲２０５を検出すると（ステップＳ７１）、この冷却性能範囲２０５内で未設定のラック機器１０２を選択する（ステップＳ７２）。尚、未設定のラック機器１０２とは、冷却性能範囲２０５内のラック機器１０２の内、グリル１０４設置の要否を未だ設定されていないラック機器１０２に相当するものである。
【０１４９】
案内情報生成部９Ａは、未設定のラック機器１０２を選択すると、この選択したラック機器１０２に搭載中の全ＩＴ機器１０１の発熱量の総和を算出する（ステップＳ７３）。案内情報生成部９Ａは、ラック機器１０２単位の発熱量の総和を算出すると、その発熱量の総和がグリル１０４設置を要求するグリル設置要閾値未満であるか否かを判定する（ステップＳ７４）。
【０１５０】
案内情報生成部９Ａは、ラック機器１０２単位の発熱量の総和がグリル設置要閾値未満の場合（ステップＳ７４肯定）、このラック機器１０２に対するグリル１０４の設置要なしと判断し、このラック機器１０２に対してグリル設置不要を設定し（ステップＳ７５）、この冷却性能範囲２０５内に未設定のラック機器１０２があるか否かを判定する（ステップＳ７６）。
【０１５１】
案内情報生成部９Ａは、冷却性能範囲２０５内に未設定のラック機器１０２がある場合（ステップＳ７６肯定）、未設定のラック機器１０２を選択すべく、ステップＳ７２に移行する。
【０１５２】
また、案内情報生成部９Ａは、ラック機器１０２の発熱量の総和がグリル設置要閾値未満でない場合（ステップＳ７４否定）、この発熱量の総和がグリルＡ閾値を超えたか否かを判定する（ステップＳ７７）。
【０１５３】
案内情報生成部９Ａは、発熱量の総和がグリルＡ閾値を超えてない場合（ステップＳ７７否定）、タイプＡのグリル１０４を設置すべく、このラック機器１０２に対してグリルＡの設置を設定し（ステップＳ７８）、グリル優先度２位表示を設定し（ステップＳ７９）、未設定のラック機器１０２の有無を判定すべく、ステップＳ７６に移行する。
【０１５４】
また、案内情報生成部９Ａは、ラック機器１０２の発熱量の総和がグリルＡ閾値を超えた場合（ステップＳ７７肯定）、タイプＡのグリル１０４の開口率よりも大きいタイプＢのグリル１０４を設置すべく、このラック機器１０２に対してグリルＢの設置を設定し（ステップＳ８０）、グリル優先度１位表示を設定し（ステップＳ８１）、未設定のラック気１０２の有無を判定すべく、ステップＳ７６に移行する。尚、グリル優先度１位表示及びグリル優先度２位表示とは、グリル１０４の設置を要求する優先順位に相当し、グリル優先度１位の方がグリル１０４の設置優先度が高いということになる。
【０１５５】
案内情報生成部９Ａは、冷却性能範囲２０５内に未設定のラック機器１０２がない場合（ステップＳ７６否定）、この空調機器１０３の冷却性能範囲２０５内の全てのラック機器１０２に対するグリル１０４設置要否の設定が完了したものと判断し、ステップＳ７５、ステップＳ７８及びステップＳ８０の設定結果及び、ステップＳ７９及びステップＳ８１のグリル優先度の設定結果を含む設置グリル案内表示をモニタ部４上に画面表示し（ステップＳ８２）、図３０の処理動作を終了する。
【０１５６】
尚、設置グリル案内表示は、図３１に示すように、空調機器１０３の冷却性能範囲２０５でラック機器１０２単位の発熱量を丸表示２０４で表し、ラック機器１０２毎にグリル１０４設置要否、グリル１０４設置要の場合はグリル１０４のタイプ、更には、そのグリル１０４設置の優先度を表している。グリル１０４のタイプは、例えば、異なる色で識別表示し、グリル１０４設置の優先度は、グリル優先度が１位の場合、実線表示２０６Ａ、グリル優先度が２位の場合、点線表示２０６Ｂで画面表示している。
【０１５７】
その結果、機器配置案内装置１Ａ側のユーザは、モニタ部４上に画面表示中のラック機器１０２毎のグリル１０４の有無で設置要否、グリル１０４の色でタイプ、グリル１０４の実線や点線でグリル設置の優先度を認識できる。
【０１５８】
次に、ラック単位風量充足度合案内処理について説明する。図３２は、ラック単位風量充足度合案内処理に関わる案内情報生成部９Ａ内部の処理動作を示すフローチャート、図３３は、ラック単位風量充足度合案内処理に関わる案内内容を端的に示す説明図である。
【０１５９】
図３２に示すラック単位風量充足度合案内処理とは、空調機器１０３の送風量に対する冷却性能範囲２０５内のグリル１０４毎の送風量の充足度合を案内する処理である。
【０１６０】
案内情報生成部９Ａは、空間レイアウト１００上で案内対象の空調機器１０３の冷却性能範囲２０５を検出すると（ステップＳ９１）、空調機器１０３のタイプ３１Ａに対応した送風量３１Ｃを空調特性テーブル３１から取得する。
【０１６１】
案内情報生成部９Ａは、この空調機器１０３の送風量３１Ｃに所定の割引率を乗算して、この空調機器１０３で送風する推定送風量Ｑ１を算出する（ステップＳ９２）。尚、空調機器１０３の送風量３１Ｃは、規格上の通常送風量のため、設置環境に応じて通常送風量を確保できない場合も考えられる。そこで、設置環境が変化したとしても、通常送風量を所定の割引率で割り引いて、空調機器１０３で十分確保できる送風量として推定送風量Ｑ１を算出するものである。
【０１６２】
更に、案内情報生成部９Ａは、推定送風量Ｑ１を算出すると、冷却性能範囲２０５内のグリル１０４のＸＹ座標を認識し、ＸＹ座標２８Ｂのタイプ２８Ｃを図１１のグリル位置テーブル２８から読み出し、この読み出したタイプ２８Ｃ（３５Ａ）の分配率３５Ｃを図１７のグリル特性テーブル３５から読み出す。すなわち、案内情報生成部９Ａは、冷却性能範囲２０５内の各グリル１０４の分配率を取得することになる。
【０１６３】
更に、案内情報生成部９Ａは、空調機器１０３の冷却性能範囲２０５内の全グリル１０４の分配率を総和することで、全分配率Ｑ２を算出する（ステップＳ９３）。
【０１６４】
更に、案内情報生成部９Ａは、冷却性能範囲２０５内のグリル１０４の内、判定対象のグリル１０４を選択すると（ステップＳ９４）、この判定対象のグリル１０４の分配率＊Ｑ１／Ｑ２の数式に基づき、この判定対象のグリル１０４のグリル通風量を算出する（ステップＳ９５）。尚、案内情報生成部９Ａは、冷却性能範囲２０５内の各グリル１０４のグリル通風量を順次算出するものである。
【０１６５】
更に、案内情報生成部９Ａは、冷却性能範囲２０５内のグリル１０４に対応したラック機器１０２毎に搭載中の各ＩＴ機器１０１の必要送風量の総和を算出する。尚、案内情報生成部９Ａは、グリル１０４のラック機器１０２のラック番号２４Ａを図７のラック位置テーブル２４から読み出し、ラック番号２４Ａ（２５Ａ）のラック機器１０２に搭載中の全ＩＴ機器１０１のＩＴ番号２５Ｂを図８のラック単位テーブル２５から読み出す。更に、案内情報生成部９Ａは、搭載中の全ＩＴ機器１０１のＩＴ番号３３Ａに対応した必要風量３３Ｃを図１５のＩＴ機器特性テーブル３３から読み出し、ラック機器１０２単位で必要風量の総和を算出する。
【０１６６】
更に、案内情報生成部９Ａは、冷却性能範囲２０５内のグリル１０４の内、判定対象のグリル１０４のグリル通風量がグリル１０４に対応したラック機器１０２単位の必要風量の総和よりも大であるか否かを判定する（ステップＳ９６）。
【０１６７】
更に、案内情報生成部９Ａは、判定対象のグリル１０４のグリル通風量がグリル１０４に対応したラック機器１０２単位の必要風量の総和よりも大の場合（ステップＳ９６肯定）、このグリル１０４のグリル通風量がラック機器１０２の必要風量を満たしているものと判断し、未判定対象のグリル１０４があるか否かを判定する（ステップＳ９７）。
【０１６８】
更に、案内情報生成部９Ａは、未判定対象のグリル１０４がある場合（ステップＳ９７肯定）、冷却性能範囲２０５内のグリル１０４の内、未判定対象のグリル１０４を選択すべく、ステップＳ９４に移行する。
【０１６９】
また、案内情報生成部９Ａは、判定対象のグリル１０４のグリル通風量がグリル１０４に対応したラック機器１０２単位の必要風量の総和よりも大でない場合（ステップＳ９６否定）、そのグリル１０４のタイプを変更する等して冷却性能範囲２０５を更新し（ステップＳ９８）、ステップＳ９１に移行する。
【０１７０】
また、案内情報生成部９Ａは、冷却性能範囲２０５のグリル１０４の内、未判定対象のグリル１０４がない場合（ステップＳ９７否定）、冷却性能範囲２０５内の全グリル１０４の通風量の判定処理が完了したものと判断し、正常なグリル設定を示す案内表示（図３３参照）をモニタ部４上に画面表示し、図３２に示す処理動作を終了する。
【０１７１】
その結果、機器配置案内装置１Ａ側のユーザは、図３３に示す案内表示で、空間レイアウト１００内に配置したグリル１０４の設置が適正と認識できる。  
【０１７２】
このように機器配置案内装置１Ａでは、空間レイアウト１００上の機器に対して様々な機器レイアウト案内をモニタ部４上で案内表示する。
【０１７３】
つまり、機器配置案内装置１Ａでは、空調機器１０３の冷却性能範囲２０５を考慮して空間レイアウト１００内の空調機器１０３の配置をモニタ部４の画面上で案内表示できる。
【０１７４】
更に、機器配置案内装置１Ａでは、ラック機器１０２単位の発熱量と、追加ＩＴ機器１０１の発熱量とを考慮して追加ラック機器１０２をモニタ部４の画面上で案内表示できる。
【０１７５】
更に、機器配置案内装置１Ａでは、ラック機器１０２単位の発熱量と、このラック機器１０２周辺の他のラック機器１０２の発熱量とを考慮して新たなラック機器１０２の配置をモニタ部４の画面上で案内表示できる。
【０１７６】
更に、機器配置案内装置１Ａでは、空間レイアウト１００内のラック機器１０２に対して、グリル１０４の設置要否をモニタ部４の画面上で案内表示できる。
【０１７７】
更に、機器配置案内装置１Ａでは、グリル１０４の設置要否に加えて、グリル１０４のタイプをモニタ部４の画面上で案内表示できる。
【０１７８】
また、機器配置案内装置１Ａでは、空調機器１０３毎に冷却性能範囲をモニタ部４に画面表示する際、空調機器１０３間の冷却性能範囲２０５同士が重合した場合、図３４に示すように、空調機器１０３間の干渉を認識できる。
【０１７９】
また、このように機器配置案内装置１Ａ側のユーザは、位置情報管理部７Ａ及び機器特性管理部８Ａの機器の位置情報及び機器特性に基づき、機器特性を考慮した機器の各種の機器レイアウト案内情報の画面表示で、機器レイアウト案内情報を事前認識した後、熱流体解析処理を実行することになる。
【０１８０】
実施例２では、空間レイアウト１００内に配置した機器の位置情報及び、これら機器の機器特性を位置情報管理部７Ａ及び機器特性管理部８Ａから読み出し、これら読み出した機器の位置情報及び機器特性に基づき、機器の機器特性を考慮した機器レイアウト案内情報を生成し、この生成した機器レイアウト案内情報をモニタ部４に案内表示する。その結果、機器の位置情報及び機器特性に基づき、機器の機器特性を考慮した機器レイアウト案内情報を生成することで、機器特性を考慮した機器レイアウトを短時間、かつ簡易的に案内できる。更には、この機器レイアウトで空調機器１０３の無駄な電力消費を認識し、例えば、空調機器１０３の電力消費の大幅節減に寄与することになる。
【０１８１】
また、実施例２では、空間レイアウト１００内に配置した全空調機器１０３の冷却量及び、空間レイアウト１００内に配置した全空調機器１０３及び全ＩＴ機器１０１の発熱量の総和を取得し、全空調機器１０３の冷却量と、全空調機器１０３及び全ＩＴ機器１０１の発熱量とを対比し、その対比結果を含む冷却バランス案内（図２４参照）をモニタ部４上に画面表示する。その結果、機器配置案内装置１Ａ側のユーザは、モニタ部４に画面表示中の冷却バランスに基づき、空間レイアウト１００内の全冷却量及び全発熱量間の冷却バランスを認識できる。
【０１８２】
また、実施例２では、空間レイアウト１００内に配置したラック機器１０２毎に搭載する全ＩＴ機器１０１の全発熱量を算出し、ラック機器１０２単位の発熱量を含む発熱量案内（図２６及び図２７参照）をモニタ部４上に画面表示する。その結果、機器配置案内装置１Ａ側のユーザは、画面表示中の棒グラフ２０３Ｂでラック機器１０２単位の発熱量を認識できる。
【０１８３】
また、実施例２では、空間レイアウト１００内に配置したラック機器１０２に搭載する各ＩＴ機器１０１の発熱量を取得し、ＩＴ機器１０１単位の発熱量を含む発熱量案内（図２６参照）をモニタ部４上に画面表示する。その結果、機器配置案内装置１Ａ側のユーザは、画面表示中の棒グラフ２０３ＡでＩＴ機器１０１単位の発熱量を認識できる。
【０１８４】
また、実施例２では、空間レイアウト１００内に配置した空調機器１０３の冷却量及び送風方向、ラック機器１０２に搭載中の全ＩＴ機器１０１の発熱量に基づき、空調機器１０３毎に、冷却対象のラック機器１０２に搭載した各ＩＴ機器１０１の発熱量を適正温度に冷却できる冷却性能範囲２０５を推定し、この推定した空調機器１０３の冷却性能範囲２０５を含む冷却性能案内（図２９参照）をモニタ部４上に画面表示する。その結果、機器配置案内装置１Ａ側のユーザは、画面表示中の冷却性能範囲２０５で空調機器１０３の冷却性能範囲２０５を認識できる。
【０１８５】
また、実施例２では、空間レイアウト１００内に配置した各空調機器１０３の冷却性能範囲２０５同士が重合した部位（図３４参照）をモニタ部４上に画面表示する。その結果、機器配置案内装置１Ａ側のユーザは、画面表示中の冷却性能範囲２０５の重合部位で空調機器１０３間の干渉を認識できる。
【０１８６】
また、実施例２では、空間レイアウト１００内に配置した空調機器１０３の冷却性能範囲２０５内のラック機器１０２に搭載中の全ＩＴ機器１０１の発熱量が適正温度となるように、ラック機器１０２毎に、空調機器１０３からの冷却風を流通するグリル１０４の設置要否及び、そのグリル設置位置を含む設置グリル案内をモニタ部４上に画面表示する。その結果、機器配置案内装置１Ａ側のユーザは、モニタ部４上に画面表示中のラック機器１０２毎のグリル１０４の有無で設置要否及びグリル設置箇所を認識できる。
【０１８７】
また、実施例２では、空間レイアウト１００内に配置した空調機器１０３の冷却性能範囲２０５内のラック機器１０２毎に搭載した各ＩＴ機器１０１の発熱量に基づき、複数種類のグリル１０４の内、ラック機器１０２毎に搭載した全ＩＴ機器１０１の発熱量が適正温度となるように、空調機器１０３からの冷却風を流通するグリル１０４のタイプを選定し、そのグリル１０４のタイプを含む設置グリル案内をモニタ部４上に画面表示する。その結果、機器配置案内装置１Ａ側のユーザは、モニタ部４上に画面表示中のラック機器１０２毎のグリル１０４の色で設置するグリル１０４のタイプを認識できる。
【０１８８】
また、実施例２では、空間レイアウト１００内に配置した空調機器１０３の冷却性能範囲２０５内の各ラック機器１０２に対応したグリル１０４のグリル通風量と、ラック機器１０２単位で搭載中のＩＴ機器１０１の必要風量の総和とを比較し、その比較結果を含むラック単位風量充足度合案内をモニタ部４上に画面表示する。その結果、機器配置案内装置１Ａ側のユーザは、空調機器１０３の冷却性能範囲毎に、この冷却性能範囲内のラック機器１０２単位で設置グリル１０４の風量充足度合を認識できる。
【０１８９】
尚、上記実施例２では、図２８に示す冷却性能案内処理のステップＳ５７にて選択済みのラック機器１０２の内、直近に選択したラック機器１０２を除いたラック機器１０２を空調機器１０３の冷却対象としたが、空調機器１０３の冷却能力オーバに関わる各種アドバイス、例えば、空調機器１０３のタイプ変更やラック機器１０２に搭載中のＩＴ機器１０１の移動等のアドバイスを実行するようにしても良い。
【０１９０】
また、上記実施例２では、説明の便宜上、グリル１０４のタイプ種別をグリルＡ及びグリルＢの二種類としたが、３種類以上であっても良く、この場合、各種タイプのグリル閾値を設定するものとする。
【０１９１】
また、上記実施例２では、ＩＴ機器１０１及び空調機器１０３を例に挙げて説明したが、フロア内の照明機器等を追加したとしても、同様の効果が得られることは言うまでもない。
【０１９２】
以上、上記実施例について説明したが、本実施例によって本願の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１９３】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１９４】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１９５】
さらに、各装置で行われる各種処理機能は、ＣＰＵ（Ｃｅｎｔｒａｌ  Ｐｒｏｃｅｓｓｉｎｇ  Ｕｎｉｔ）、（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【０１９６】
以上の各実施例を含む実施形態に関し、さらに以下の付記を開示する。
【０１９７】
（付記１）画面上の所定空間内に配置する機器の位置情報を管理する位置情報管理部と、
前記機器の機器特性を管理する機器特性管理部と、
前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成部と、
前記案内情報生成部にて生成した前記機器レイアウト案内情報を案内出力する案内部と
を有することを特徴とする機器配置案内装置。
【０１９８】
（付記２）前記機器は、
少なくとも、電子機器及び空調機器を有し、
前記案内情報生成部は、
前記所定空間内に配置した全空調機器の冷却量に関わる機器特性及び、前記所定空間内に配置した全空調機器及び全電子機器の発熱量に関わる機器特性を前記機器特性管理部から読み出し、これら読み出した機器特性に基づき、前記所定空間内に配置した全空調機器の冷却量及び、前記全空調機器及び前記全電子機器の発熱量を対比し、その対比結果を含む前記機器レイアウト案内情報を生成することを特徴とする付記１記載の機器配置案内装置。
【０１９９】
（付記３）前記機器は、
少なくとも、電子機器、空調機器及び機器筐体を有し、
前記案内情報生成部は、
前記所定空間内に配置した前記機器筐体の位置情報を前記位置情報管理部から読み出すと共に、前記機器筐体毎に搭載した各電子機器の発熱量に関わる機器特性を前記機器特性管理部から読み出し、前記機器筐体の位置情報及び、前記機器筐体毎に搭載する各電子機器の発熱量に基づき、前記機器筐体毎に搭載する全電子機器の発熱量を算出し、その算出結果を含む前記機器レイアウト案内情報を生成することを特徴とする付記１記載の機器配置案内装置。
【０２００】
（付記４）前記機器は、
少なくとも、電子機器、空調機器及び機器筐体を有し、
前記案内情報生成部は、
前記所定空間内に配置した前記機器筐体及び機器筐体に搭載する各電子機器の位置情報を前記位置情報管理部から読み出すと共に、前記機器筐体毎に搭載した各電子機器の発熱量に関わる機器特性を前記機器特性管理部から読み出し、前記機器筐体毎に搭載する各電子機器の位置情報及び発熱量に基づき、前記機器筐体毎に搭載する各電子機器の発熱量を含む前記機器レイアウト案内情報を生成することを特徴とする付記１記載の機器配置案内装置。
【０２０１】
（付記５）前記機器は、
少なくとも、電子機器、空調機器及び機器筐体を有し、
前記案内情報生成部は、
前記所定空間内に配置した前記空調機器及び前記機器筐体の位置情報を前記位置情報管理部から読み出すと共に、前記機器筐体毎に搭載した各電子機器の発熱量に関わる機器特性及び、前記空調機器の冷却量及び送風方向に関わる機器特性を前記機器特性管理部から読み出し、前記空調機器及び前記機器筐体の位置情報、前記機器筐体毎に搭載した各電子機器の発熱量及び、前記空調機器の冷却量及び送風方向に基づき、前記空調機器毎に、冷却対象の機器筐体に搭載した各電子機器の発熱量が適正条件に冷却できる冷却性能範囲を推定し、この推定した空調機器の冷却性能範囲を含む前記機器レイアウト案内情報を生成することを特徴とする付記１記載の機器配置案内装置。
【０２０２】
（付記６）前記機器は、
前記空調機器からの冷却風を流通するグリルを有し、
前記案内情報生成部は、
前記空調機器の前記冷却性能範囲内の前記機器筐体の位置情報を前記位置情報管理部から読み出すと共に、前記機器筐体毎に搭載する各電子機器の発熱量に関わる機器特性を前記機器特性管理部から読み出し、前記機器筐体毎に搭載した各電子機器の発熱量に基づき、前記機器筐体に搭載した全電子機器の発熱量が適正条件となるように前記空調機器からの冷却風を流通するグリルの設置要否を含む前記機器レイアウト情報を生成することを特徴とする付記５記載の機器配置案内装置。
【０２０３】
（付記７）前記機器は、
給気面部に形成した開口部の開口率が異なる種類のグリルを有し、
前記案内情報生成部は、
前記空調機器の冷却性能範囲内の前記機器筐体毎に搭載した各電子機器の発熱量に基づき、複数種類のグリルの内、前記機器筐体毎に搭載した全電子機器の発熱量が適正条件となるように前記空調機器からの冷却風を流通するグリルを選定し、その選定結果を含む前記機器レイアウト案内情報を生成することを特徴とする付記６記載の機器配置案内装置。
【０２０４】
（付記８）前記案内情報生成部は、
前記空調機器に対応した前記冷却性能範囲での前記空調機器の冷却送風量に関わる機器特性を前記機器特性管理部から読み出すと共に、前記冷却性能範囲内に設置する前記グリルの開口率に関わる機器特性を前記機器特性管理部から読み出すと共に、前記冷却性能範囲内の前記空調機器の冷却送風量及び前記冷却性能範囲内に設置した各グリルの開口率に基づき、前記グリル毎の通風量を算出し、前記グリルの通風量が同グリルに設定した前記機器筐体の全電子機器の必要風量を満たしたか否かを判定し、その判定結果を含む前記機器レイアウト案内情報を生成することを特徴とする付記７記載の機器配置案内装置。
【０２０５】
（付記９）前記案内部は、
前記機器レイアウト案内情報を案内表示する表示部であることを特徴とする付記１〜８の何れか一に記載の機器配置案内装置。
【０２０６】
（付記１０）画面上の所定空間内に配置する機器の位置情報を位置情報管理部に管理する位置情報管理ステップと、
前記機器の機器特性を機器特性管理部に管理する機器特性管理ステップと、
前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成ステップと、
前記案内情報生成ステップで生成した前記機器レイアウト案内情報を案内出力する案内出力ステップと
を含むことを特徴とする機器配置案内方法。
【０２０７】
（付記１１）画面上の所定空間内に配置する機器の位置情報を位置情報管理部に管理する位置情報管理手順と、
前記機器の機器特性を機器特性管理部に管理する機器特性管理手順と、
前記所定空間に配置した前記機器の位置情報及び機器特性を前記位置情報管理部及び前記機器特性管理部から読み出し、これら読み出した前記機器の位置情報及び機器特性に基づき、前記機器の機器特性を考慮した機器レイアウト案内情報を生成する案内情報生成手順と、
前記案内情報生成手順で生成した前記機器レイアウト案内情報を案内出力する案内出力手順と
を含むコンピュータプログラムをコンピュータ装置に実行させることを特徴とする機器配置案内プログラム。
【符号の説明】
【０２０８】
１  機器配置案内装置
１Ａ  機器配置案内装置
２  データベース
３  データ入力部
４  モニタ部
４Ａ  空間レイアウト画面
４Ｂ  ３Ｄ画面
４Ｃ  ツールボックス画面
５  制御部
６  機器管理部
７  位置情報管理部
７Ａ  位置情報管理部
８  機器特性管理部
８Ａ  機器特性管理部
９  案内情報生成部
９Ａ  案内情報生成部
１０  熱流体解析処理部
２１  レイアウト管理テーブル
２２  柱位置テーブル
２３  空調位置テーブル
２４  ラック位置テーブル
２５  ラック単位テーブル
２６  分電盤位置テーブル
２７  分電盤単位テーブル
２８  グリル位置テーブル
３１  空調特性テーブル
３２  ラック特性テーブル
３３  ＩＴ機器特性テーブル
３４  分電盤特性テーブル
３５  グリル特性テーブル
１００  空間レイアウト
１０１  ＩＴ機器
１０２  ラック機器
１０３  空調機器
１０４  グリル
１０４Ａ  給気面
１０４Ｂ  開口部
１０４Ｃ  開口部
１０５  分電盤
１０７  柱
２０１Ａ  棒グラフ
２０１Ｂ  棒グラフ
２０２Ａ  冷却バランス（実線）
２０２Ｂ  冷却バランス（点線）
２０３Ａ  棒グラフ
２０３Ｂ  棒グラフ
２０４  丸表示
２０５  冷却性能範囲
２０６Ａ  実線表示
２０６Ｂ  点線表示
【図１】
2010286984.tif 000003
【図２】
2010286984.tif 000004
【図３】
2010286984.tif 000005
【図４】
2010286984.tif 000006
【図５】
2010286984.tif 000007
【図６】
2010286984.tif 000008
【図７】
2010286984.tif 000009
【図８】
2010286984.tif 000010
【図９】
2010286984.tif 000011
【図１０】
2010286984.tif 000012
【図１１】
2010286984.tif 000013
【図１２】
2010286984.tif 000014
【図１３】
2010286984.tif 000015
【図１４】
2010286984.tif 000016
【図１５】
2010286984.tif 000017
【図１６】
2010286984.tif 000018
【図１７】
2010286984.tif 000019
【図１８】
2010286984.tif 000020
【図１９】
2010286984.tif 000021
【図２０】
2010286984.tif 000022
【図２１】
2010286984.tif 000023
【図２２】
2010286984.tif 000024
【図２３】
2010286984.tif 000025
【図２４】
2010286984.tif 000026
【図２５】
2010286984.tif 000027
【図２６】
2010286984.tif 000028
【図２７】
2010286984.tif 000029
【図２８】
2010286984.tif 000030
【図２９】
2010286984.tif 000031
【図３０】
2010286984.tif 000032
【図３１】
2010286984.tif 000033
【図３２】
2010286984.tif 000034
【図３３】
2010286984.tif 000035
【図３４】
2010286984.tif 000036